(57)【要約】【課題】工具を用いることなく容易にカバーを外すことができ、施工性を向上させた露出形モジュラジャックを提供する。【解決手段】この露出形モジュラジャックは、背面を施工面に当接させて取り付けられるボディ１の前面にカバー２が結合されてなるハウジングと、ハウジング内に収納されるモジュラブロック３とからなる。ボディ１の側面１ｂには、一端１１ａが側面１ｂ’に支持され他端１１ｂがボディ１の背面側に至るまでに延設されたヒンジ片１１が形成される。ヒンジ片１１はボディ１の背面から弾性変形操作可能であり、ヒンジ片１１の外側の先端付近には第１の係止部としての凸部１２が形成される。また、ボディ１の側面１ｂを覆い隠すカバー２の側面の内側には、凸部１２と係脱自在に係止されボディ１とカバー２とを結合する第２の係止部としての凸部１５が形成される。【選択図】        図１
2004234922.tif 000002
【特許請求の範囲】
【請求項１】
背面を施工面に当接させて取り付けられるボディの前面にカバーが結合されてなるハウジングと、ハウジング内に収納されハウジングに設けられたプラグ挿入口を通してモジュラプラグが着脱自在に挿入されるモジュラブロックとを備え、前記ボディと前記カバーとの何れか一方にハウジング外から弾性変形操作可能なヒンジ片を設け、他方に前記ヒンジ片に形成された第１の係止部と係脱自在に係止され前記ボディと前記カバーとを結合する第２の係止部を設けたことを特徴とする露出形モジュラジャック。
【請求項２】
前記ヒンジ片は、前記ボディの側面において一端がボディに支持され他端がボディの背面側に至るまでに延設されて形成され、前記第１の係止部は、前記ヒンジ片の外側の先端付近に形成され、前記第２の係止部は、前記ボディの側面を覆い隠す前記カバーの側面の内側に形成されたことを特徴とする請求項１記載の露出形モジュラジャック。
【請求項３】
前記ヒンジ片は、前記ボディの側面において一端がボディに支持され他端がボディの背面側に至るまでに延設されて形成され、前記第１の係止部は、前記ヒンジ片の外側の先端付近に形成され、前記第２の係止部は、前記カバーの側面の一部を前記カバーと前記ボディとの当接面よりも背面側に延設して、前記カバーが前記ボディに結合されると前記ヒンジ片の外側面を覆い隠す舌片を形成し、該舌片の内側に形成されたことを特徴とする請求項１記載の露出形モジュラジャック。
【請求項４】
前記ヒンジ片は、前記ボディの側面において一端がボディに支持され他端が前記カバーと前記ボディとの当接面よりもカバー側に突出するまで延設されて形成され、前記第１の係止部は、前記ヒンジ片の外側の先端付近に形成され、前記第２の係止部は、前記カバーの側面の内側に形成されたことを特徴とする請求項１記載の露出形モジュラジャック。
【請求項５】
前記ヒンジ片は、前記カバーの側面において一端がカバーに支持され他端が前記カバーと前記ボディとの当接面よりもボディ側に突出するまで延設されて形成され、前記第１の係止部は、前記ヒンジ片の外側の先端付近に形成され、前記第２の係止部は、前記ボディの側面の内側に形成されたことを特徴とする請求項１記載の露出形モジュラジャック
【請求項６】
前記ヒンジ片のうち、前記カバーと前記ボディとが結合された時に外部に露出する部位を押釦形状としたことを特徴とする請求項４又は５記載の露出形モジュラジャック。
【請求項７】
前記ヒンジ片は、前記カバーの側面において一端がカバーに支持され他端が前記カバーと前記ボディとの当接面よりもボディ側に突出するまで延設されて形成され、前記第１の係止部は、前記ヒンジ片の内側の先端付近に形成され、前記第２の係止部は、前記ボディの側面の外側に形成されたことを特徴とする請求項１記載の露出形モジュラジャック。
【発明の詳細な説明】
【０００１】
【発明の属する技術分野】
本発明は、壁や机などの施工面に露出した形で設置される露出形モジュラジャックに関するものである。
【０００２】
【従来の技術】
従来この種の露出形モジュラジャックとして、例えば特許文献１に開示されているものがある。
【０００３】
この露出形モジュラジャックは、ハウジングと、ハウジング内に収納されハウジングに設けられたプラグ挿入口を通してモジュラプラグが着脱自在に挿入されるモジュラブロックとを備えてなる。
【０００４】
ハウジングは、背面を施工面に当接させた形で施工面に取り付けられるボディと、ボディに覆着されるカバーとからなり、ボディの内底面の４箇所には柱状部が立設され、各柱状部の外側面にはそれぞれ組立穴が形成され、また、カバーの周壁の内周面には組立突起が形成され、ボディの前記組立孔にカバーの前記組立突起が凹凸嵌合することで、ハウジングが形成されている。
【０００５】
【特許文献１】
特開２０００−６７９９３号公報
【０００６】
【発明が解決しようとする課題】
ところで、従来のハウジングは、ケーブルを引っ張るとボディからカバーが外れる事態を防ぐためカバーの嵌合強度を強くしており、カバーを外すには図１４に示すように、ボディ１００とカバー２００との間のカバー外し溝部１０１にドライバＤの先端をあててこじて外す仕様となっていた。
【０００７】
しかしながら、ドライバーＤを用いてもこじ開けるのが困難であったり、カバー外し溝部１０１に傷がつくという問題があった。
【０００８】
また、ドライバーＤはカバー２００を外す時にしかほとんど使用しないため、施工的に大きなロスとなっていた。
【０００９】
本発明は上記問題点に鑑みて為されたものであって、その目的とするところは、工具を用いることなく容易にカバーを外すことができ、施工性を向上させた露出形モジュラジャックを提供することにある。
【００１０】
【課題を解決するための手段】
上記目的を達成するために、請求項１記載の露出形モジュラジャックは、背面を施工面に当接させて取り付けられるボディの前面にカバーが結合されてなるハウジングと、ハウジング内に収納されハウジングに設けられたプラグ挿入口を通してモジュラプラグが着脱自在に挿入されるモジュラブロックとを備え、前記ボディと前記カバーとの何れか一方にハウジング外から弾性変形操作可能なヒンジ片を設け、他方に前記ヒンジ片に形成された第１の係止部と係脱自在に係止され前記ボディと前記カバーとを結合する第２の係止部を設けたものとした。
【００１１】
請求項２記載の露出形モジュラジャックは、請求項１記載の発明において、前記ヒンジ片は、前記ボディの側面において一端がボディに支持され他端がボディの背面側に至るまでに延設されて形成され、前記第１の係止部は、前記ヒンジ片の外側の先端付近に形成され、前記第２の係止部は、前記ボディの側面を覆い隠す前記カバーの側面の内側に形成されたものとした。
【００１２】
請求項３記載の露出形モジュラジャックは、請求項１記載の発明において、前記ヒンジ片は、前記ボディの側面において一端がボディに支持され他端がボディの背面側に至るまでに延設されて形成され、前記第１の係止部は、前記ヒンジ片の外側の先端付近に形成され、前記第２の係止部は、前記カバーの側面の一部を前記カバーと前記ボディとの当接面よりも背面側に延設して、前記カバーが前記ボディに結合されると前記ヒンジ片の外側面を覆い隠す舌片を形成し、該舌片の内側に形成されたものとした。
【００１３】
請求項４記載の露出形モジュラジャックは、請求項１記載の発明において、前記ヒンジ片は、前記ボディの側面において一端がボディに支持され他端が前記カバーと前記ボディとの当接面よりもカバー側に突出するまで延設されて形成され、前記第１の係止部は、前記ヒンジ片の外側の先端付近に形成され、前記第２の係止部は、前記カバーの側面の内側に形成されたものとした。
【００１４】
請求項５記載の露出形モジュラジャックは、請求項１記載の発明において、前記ヒンジ片は、前記カバーの側面において一端がカバーに支持され他端が前記カバーと前記ボディとの当接面よりもボディ側に突出するまで延設されて形成され、前記第１の係止部は、前記ヒンジ片の外側の先端付近に形成され、前記第２の係止部は、前記ボディの側面の内側に形成されたものとした。
【００１５】
請求項６記載の露出形モジュラジャックは、請求項４又は５記載の発明において、前記ヒンジ片のうち、前記カバーと前記ボディとが結合された時に外部に露出する部位を押釦形状としたものとした。
【００１６】
請求項７記載の露出形モジュラジャックは、請求項１記載の発明において、前記ヒンジ片は、前記カバーの側面において一端がカバーに支持され他端が前記カバーと前記ボディとの当接面よりもボディ側に突出するまで延設されて形成され、前記第１の係止部は、前記ヒンジ片の内側の先端付近に形成され、前記第２の係止部は、前記ボディの側面の外側に形成されたものとした。
【００１７】
【発明の実施の形態】
以下、本発明を実施形態１から実施形態５によって説明する。
【００１８】
（実施形態１）
図１に、本実施形態の露出形モジュラジャックの分解斜視図を示す。
【００１９】
この露出形モジュラジャックは、壁や机などの施工面に背面（図１の下側）を当接させた形で取り付けられるボディ１およびボディ１の前面側（図１の上側）に結合されるカバー２とからなるハウジングと、ハウジング内に収納されるモジュラブロック３とから構成される。
【００２０】
ボディ１の前面の一方には、モジュラプラグ（図示せず）をモジュラブロック３に挿入するためのプラグ挿入孔１０ａが形成された枠部１０が立設される。
【００２１】
枠部１０の外側面には、操作片４ａを操作することで図１の上下方向にスライド自在に開閉される扉体４ｂを備えた扉部４が結合される。扉部４は、周縁に４箇所設けた組立片４ｃを枠部１０の外側面に４箇所設けた組立孔１０ｂに挿入し、組立片４ｃの先端に形成された爪部４ｄを枠部１０の図示しない部位に係止させることで枠部１０に結合される。
【００２２】
また、枠部１０はボディ１の側面１ａより少し内側に設けられており、枠部１０に結合された扉部４の外側面が、ボディ１の側面１ａと略同一面を形成する。
【００２３】
枠部１０が形成された側面１ａと直交する両側面１ｂ，１ｂにおいて、枠部１０寄りの部位にはヒンジ片１１，１１が形成される。
【００２４】
ヒンジ片１１は、ボディ１の側面１ｂの一部を内側へ窪ませ、窪んだ位置の側面をボディ１の前面に突出させて支持片１ｂ’を形成し、支持片１ｂ’の先端をボディ１の外側方向に折り返した後、さらに支持片１ｂ’と対向するようにしてボディ１の背面に至るまで延設して形成される。
【００２５】
すなわち、ヒンジ片１１は、一端１１ａがボディ１の支持片１ｂ’に支持され、ボディ１の背面に至るまで延設された他端１１ｂが、ボディ１の内側へ弾性変形操作可能に形成されている。
【００２６】
ヒンジ片１１の外側面の先端付近には、第１の係止部としての凸部１２が形成される。凸部１２は、ボディ１の前面側から背面側にかけて外側に傾斜する傾斜面１２ａと、傾斜面１２ａの頂部からヒンジ片１１に垂直に設けられた係止面１２ｂとを有している。
【００２７】
ボディ１の前面の他方には、後述するモジュラジャック３の端子部３ｂに接続されるケーブル（図示せず）を保持するための一対の電線保持片１４，１４が立設される。
【００２８】
電線保持片１４，１４は、モジュラジャック３の端子部３ｂに接続されるケーブルの幅よりも若干広めの間隔を有して形成され、それぞれの対向する内面には、ボディ１の前面側から背面側へかけて内側へ傾斜した傾斜面１４ａと、傾斜面１４ａの頂部から電線保持片１４の内面に垂直に設けられた係止面１４ｂとを有する係止部が設けられ、該係止部の間隔は前記ケーブルの幅よりも狭く形成されている。
【００２９】
電線保持片１４，１４は、前記ケーブルが係止部の傾斜面１４ａを押し広げながら挿入され、一度挿入されたケーブルは、係止部の係止面１４ｂに係合することにより抜けが防止される。
【００３０】
また、ボディ１の前面の他方の隅部には、４個の係合突起１３が立設される。
【００３１】
各係合突起１３の外側面には、それぞれ組立孔１３ａが形成され、４個の係合突起１３のうち、２個の係合突起１３はそれぞれ側面１ｂ，１ｂ側に組立孔１３ａを臨ませ、残りの２個の係合突起１３は側面１ａと反対側となる側面１ｃ側に組立孔１３ａを臨ませている。
【００３２】
ボディ１の背面には、マグネット５を装着するマグネット用凹部（図示せず）が形成されており、施工面が例えば鉄製の事務机などの場合には、マグネット用凹部に装着されたマグネット５によりボディ１が施工面に固定される。施工面が木質壁などであれば、背面に設けた取付孔（図示せず）を通して螺合してもよい。
【００３３】
モジュラブロック３は、モジュラプラグ（図示せず）が着脱自在に挿入される挿入孔３ａ’を備えたプラグ挿入部３ａと、ケーブルが接続される端子部３ｂとからなり、プラグ挿入部３ａの両側には、係止爪３ｃ，３ｃと凸部３ｄ，３ｄとが形成される。
【００３４】
端子部３ｂは、ケーブルが接続される圧接端子（図示せず）を備え、プラグ挿入部３ａの挿入孔３ａ’には、端子部３ｂの圧接端子と電気的に接続されたコンタクト（図示せず）が配設されている。
【００３５】
モジュラブロック３は、係止爪３ｃ，３ｃを内側に弾性変形させながら枠部１０に内側から挿入され、枠部１０のプラグ挿入孔１０の内側面に設けられた係止面１０ｄ，１０ｄと係止爪３ｃ，３ｃとが係合し、さらにプラグ挿入孔１０の内側面に設けられた凹部１０ｃ，１０ｃと凸部３ｄ，３ｄとが凹凸嵌合することで、枠部１０の内側に固定される。
【００３６】
カバー２は、背面側が開口した略箱形でボディ１の外形より若干大きめに形成され、ボディ１の側面および前面側を覆い隠すようにしてボディ１の前面側に結合される。
【００３７】
カバー２の側面において、ボディ１の枠部１０に対応する位置には切り欠き２ａが設けられ、ボディ１の電線保持片１４，１４に対応する位置には図示しない切り欠き（もしくは孔）が設けられる。
【００３８】
また、カバー２の側面の内側において、ボディ１のヒンジ片１１，１１に対応する位置には、ヒンジ片１１，１１の外側に形成された第一の係止部としての凸部１２，１２と係脱自在に係止される第２の係止部としての凸部１５，１５が形成される（図２参照）。
【００３９】
さらに、カバー２の側面の内側において、ボディ１の各係合突起１３の組立孔１３ａに対応する位置には、組立突起（図示せず）が形成されている。
【００４０】
また、カバー２の前面には、本露出形モジュラジャックに接続される情報機器の配線系統を識別するための識別子６を取着する、取付部２ｂが設けられている。
【００４１】
以上のように形成されたボディ１とカバー２とは、ボディ１の前面からカバー２を嵌め込んでいくと、ヒンジ片１１に設けられた凸部１２の傾斜面１２ａがカバー２の側面の内側に設けられた凸部１５に押されてヒンジ片１１が内側へと撓んでいき、凸部１５が傾斜面１２ａを通過すると、凸部１５がヒンジ片１１の凸部１２の係止面１２ｂと係合し、またさらに、ボディ１の係合突起１３の組立孔１３ａとカバー２の組立突起とが係合して、結合される。
【００４２】
この時、ボディ１の側面および前面側は、カバー２により覆い隠されている。
ボディ１をカバー２で覆い隠すことにより、外観の凹凸が極力抑えられデザイン性が良くなる。
【００４３】
ボディ１とカバー２との結合を解除するには、ボディ１の背面から、ボディ１の支持片１ｂ’とカバー２の側面との間に位置しているヒンジ片１１の他端１１ｂを、指でボディ１の内側方向へ弾性変形操作する。
【００４４】
すると、ヒンジ片１１の凸部１２とカバー２の凸部１５との係合が外れ、その後カバー２を少し広げるようにして組立孔１３ａと組立突起との係合も解除することで、容易にカバーを外すことができる。
【００４５】
なお、ボディ１の背面側は施工面に取り付けられるため、施工後は、使用者は容易にヒンジ部を見つけられず、いたずら防止になる。
【００４６】
かかる露出形モジュラジャックにおいては、ドライバなどの工具を用いることなくヒンジ片１１を指で弾性変形操作するだけでボディ１とカバー２との結合が解除され、容易にカバーを外すことができる。
【００４７】
（実施形態２）
本実施形態における基本構成は実施形態１と共通するために共通する部分については同一の符号を付して説明を省略し、実施形態１とは異なる部分についてのみ詳細に説明する。
【００４８】
本実施形態のハウジングは、カバー２’がボディ１の前面に当接して結合されるもので、それに応じてカバーの形状およびボディ１の一部の形状が実施形態１とは異なっている。
【００４９】
図３に、本実施形態の露出形モジュラジャックの分解斜視図を示す。
【００５０】
本実施形態のカバー２’は、背面側が開口した略箱形でボディ１の外形と略同じ大きさに形成され、ボディ１の前面にカバー２’の側面の端縁を当接させてボディ１の前面に結合される。
【００５１】
カバー２’の側面において、ボディ１のヒンジ片１１，１１に対応する位置には、カバー２’の側面の一部をカバー２’とボディ１との当接面よりも背面側に延設して舌片１６，１６が形成される。
【００５２】
舌片１６、１６は、その内側に、ヒンジ片１１，１１の外側に形成された第１の係止部としての凸部１２，１２と係脱自在に係止される第２の係止部としての凸部１５’，１５’が形成される。
【００５３】
なお、実施形態１と同様に、カバー２’の側面の内側において、ボディ１の各係合突起１３の組立孔１３ａに対応する位置には、組立突起（図示せず）が形成されている。
【００５４】
ボディ１は、実施形態１のボディ１とほぼ同様の形状および構造を有しているが、ヒンジ片１１の外側面が、ボディ１の側面１ｂより少し内側に形成された点が異なっている。
【００５５】
以上のように形成されたボディ１とカバー２’とは、ボディ１の前面にカバー２’を嵌め込んでいくと、ヒンジ片１１に設けられた凸部１２の傾斜面１２ａがカバー２’の舌片１６に設けられた凸部１５’に押されてヒンジ片１１が内側へと撓んでいき、凸部１５’が傾斜面１２ａを通過すると、舌片１６の凸部１５’がヒンジ片１１の凸部１２の係止面１２ｂと係合し、またさらに、ボディ１の係合突起１３の組立孔１３ａとカバー２’の組立突起とが係合して、結合される。
【００５６】
またこの時、ヒンジ片１１の外側面はカバー２’の舌片１６により覆い隠されており、舌片１６の外側面がカバー２’の側面と共にボディ１の側面１ｂと略同一面を形成する。このように、ヒンジ片１１を舌片１６により覆い隠して外観の凹凸を極力抑えることで、デザイン性が良くなる。
【００５７】
ボディ１とカバー２’との結合を解除するには、ボディ１の背面から、ボディ１の支持片１ｂ’とカバー２’の舌片１６との間に位置しているヒンジ片１１の他端１１ｂを、指でボディ１の内側方向へ弾性変形操作する。
【００５８】
すると、ヒンジ片１１の凸部１２と舌片１６の凸部１５’との係合が外れ、その後カバー２’を少し広げるようにして組立孔１３ａと組立突起との係合も解除することで容易にカバーを外すことができる。
【００５９】
なお、本実施形態においてもボディ１の背面側は施工面に取り付けられるため、施工後は、使用者は容易にヒンジ部を見つけられず、いたずら防止になる。
【００６０】
かかる露出形モジュラジャックにおいても、ドライバなどの工具を用いることなくヒンジ片１１を指で弾性変形操作するだけでボディ１とカバー２’との結合が解除され容易にカバーを外すことができる。
【００６１】
（実施形態３）
本実施形態における基本構成は実施形態１又は２と共通するために共通する部分については同一の符号を付して説明を省略し、実施形態１又は２とは異なる部分についてのみ詳細に説明する。
【００６２】
本実施形態は、ボディ１に形成されたヒンジ片および該ヒンジ片に対応するカバー２’の形状が実施形態１又は２とは異なる。
【００６３】
なお、実施形態２と同様に、本実施形態のカバー２’はボディ１の前面に当接して結合される。
【００６４】
本実施形態のヒンジ片２０は、図４および図５に示すように、ボディ１の側面１ｂの一部を内側へ窪ませ、窪んだ位置の側面１ｄの背面側の部位を外側に延設し、さらに側面１ｄと対向するようにしてボディ１の前面側に延設していき、先端２０ａをカバー２’とボディ１との当接面よりもカバー２’側に突出するまで延設して形成される。
【００６５】
すなわち、ヒンジ片２０は、一端２０ｂがボディ１の背面側に支持され、カバー２’とボディ１との当接面よりもカバー２’側に突出するまで延設された他端２０ａが、ボディ１の内側へ弾性変形操作可能に形成されている。
【００６６】
また、ヒンジ片２０と対向する側面１ｄは、ヒンジ片２０と略同じ高さまで延設され、ヒンジ片２０が過度に弾性変形操作されても側面１ｄと当接することでヒンジ片２０の破損を防止している。
【００６７】
ヒンジ片２０の外側面の先端付近には、第１の係止部としての凸部２１が形成される。凸部２１は、ボディ１の前面側から背面側にかけて外側に傾斜する傾斜面２１ａと、傾斜面２１ａの頂部からヒンジ片２０に垂直に設けられた係止面２１ｂとを有している。
【００６８】
次に、カバー２’の側面の内側において、ヒンジ片２０の凸部２１に対応する部位には、第２の係止部としての凹部２２が形成されている（図５参照）。
【００６９】
また、カバー２’の側面において、凹部２２が形成された部位よりカバー２’の背面側にかけて切り欠き２３が設けられている。
【００７０】
以上のように形成されたボディ１とカバー２’とは、ボディ１の前面にカバー２’を嵌め込んでいくと、ヒンジ片２０に設けられた凸部２１の傾斜面２１ａがカバー２’の内側面に押されてヒンジ片２０が内側へと撓んでいき、その後、凸部２１がカバー２’の側面の内側に形成された凹部２２と係合し、また、実施形態１又は２と同様に、ボディ１の係合突起１３の組立孔１３ａがカバー２’の組立突起と係合して、結合される。
【００７１】
ボディ１にカバー２’が結合されると、カバー２’に設けた切り欠き２３により、ヒンジ片２０の側面が大きく露出する。
【００７２】
ボディ１とカバー２’との結合を解除するには、ボディ１の側面１ｂ，１ｂ側に露出したヒンジ片２０，２０の外側面を、指でボディ１の内側方向へ弾性変形操作する。
【００７３】
すると、ヒンジ片２０の凸部２１とカバー２’の凹部２２との係合が外れ、その後カバー２’を少し広げるようにして組立孔１３ａと組立突起との係合も解除することで容易にカバーを外すことができる。
【００７４】
かかる露出形モジュラジャックにおいても、ドライバなどの工具を用いることなくヒンジ片２０を指で弾性変形操作するだけでボディ１とカバー２’との結合が解除され容易にカバーを外すことができる。また、実施形態１又は２の露出形モジュラジャックと比較して、弾性変形操作するためのヒンジ片２０の露出部分が大きいので、カバー２’を外す操作が容易となる。
【００７５】
なお、図６および図７に示すように、ヒンジ片２０のうち、カバー２’とボディ１とが結合された時に外部に露出する部位を押釦形状２４としてもよい。
【００７６】
押釦形状２４とすることで、ヒンジ片２０の視認性が向上すると共にヒンジ片２０の弾性変形操作がさらにし易くなり、誰でも簡単にカバー２’の取り外しの操作ができるようになる。
【００７７】
（実施形態４）
本実施形態における基本構成は実施形態１乃至３の何れかと共通するために共通する部分については同一の符号を付して説明を省略し、実施形態１乃至３とは異なる部分についてのみ詳細に説明する。
【００７８】
本実施形態は、カバー２’にヒンジ片が形成され、ボディ１に第２の係止部としての凹部が形成された点が実施形態１乃至３とは異なる。
【００７９】
なお、実施形態２又は３と同様に、本実施形態のカバー２’はボディ１の前面に当接して結合される。
【００８０】
本実施形態のヒンジ片３０は、図８および図９に示すように、カバー２’の側面のうち、切り欠き２ａが設けられた側面と直行する両側面２ｃ，２ｃの一部を内側へ窪ませ、窪んだ位置の側面２ｃ’の前面側の部位を外側に延設し、さらに側面１ｃ’と対向するようにしてカバー２’の背面側に延設していき、先端３０ａをカバー２’とボディ１との当接面よりもボディ１側に突出するまで延設して形成される。
【００８１】
すなわち、ヒンジ片３０は、一端３０ｂがカバー２’の前面側に支持され、カバー２’とボディ１との当接面よりもボディ１側に突出するまで延設して形成された他端３０ａが、カバー２’の内側へ弾性変形操作可能に形成されている。
【００８２】
また、ヒンジ片３０の外側面は、カバー２’の側面２ｃより少し内側に形成されている。
【００８３】
ヒンジ片３０の外側面の先端付近には、第１の係止部としての凸部３１が形成される。凸部３１は、カバー２’の背面側から前面側にかけて外側に傾斜する傾斜面３１ａと、傾斜面３１ａの頂部からヒンジ片３０に垂直に設けられた係止面３１ｂとを有している。
【００８４】
次に、ボディ１の側面１ｂの内側において、ヒンジ片３０の凸部３１に対応する部位には、第２の係止部としての凹部３２が形成されている（図９参照）。
【００８５】
以上のように形成されたボディ１とカバー２’とは、ボディ１の前面にカバー２’を嵌め込んでいくと、ヒンジ片３０に設けられた凸部３１の傾斜面３１ａがボディ１の側面１ｂの内面に押されてヒンジ片３０が内側へと撓んでいき、その後、凸部３１がボディ１の側面１ｂの内側に形成された凹部３２と係合し、また、実施形態１乃至３と同様に、ボディ１の係合突起１３の組立孔１３ａがカバー２’の組立突起と係合して、結合される。
【００８６】
ボディ１とカバー２’との結合を解除するには、カバー２’の側面２ｃ，２ｃ側に露出したヒンジ片３０，３０の外側面を、指でカバー２’の内側方向へ弾性変形操作する。
【００８７】
すると、ヒンジ片３０の凸部３１とボディ１の凹部３２との係合が外れ、その後カバー２’を少し広げるようにして組立孔１３ａと組立突起との係合も解除することで容易にカバーを外すことができる。
【００８８】
かかる露出形モジュラジャックにおいても、ドライバなどの工具を用いることなくヒンジ片３０を指で弾性変形操作するだけでボディ１とカバー２’との結合が解除され容易にカバーを外すことができる。また、カバー２’を外す際に、ヒンジ片３０，３０を両側から指で掴んだ状態でカバー２’を外せるため、施工が容易になる。
【００８９】
なお、図１０および図１１に示すように、ヒンジ片３０のうち、カバー２’とボディ１とが結合された時に外部に露出する部位を押釦形状３３としてもよい。
【００９０】
（実施形態５）
本実施形態における基本構成は実施形態１乃至４の何れかと共通するために共通する部分については同一の符号を付して説明を省略し、実施形態１乃至４とは異なる部分についてのみ詳細に説明する。
【００９１】
本実施形態は、カバー２’に形成されたヒンジ片および該ヒンジ片に対応するボディ１の形状が実施形態１乃至４とは異なる。
【００９２】
なお、実施形態２乃至４と同様に、本実施形態のカバー２’はボディ１の前面に当接して結合される。
【００９３】
本実施形態のヒンジ片４０は、図１２および図１３に示すように、カバー２’の両側面２ｃ，２ｃの一部を背面側に延設し、先端４０ａが、カバー２’とボディ１とが結合された時にボディ１の背面に至るまで延設されて形成される。
【００９４】
すなわち、ヒンジ片４０は、一端４０ｂがカバー２’の背面側に支持され、カバー２’とボディ１との当接面よりもボディ１側に突出してボディ１の背面に至るまで延設して形成された他端４０ａが、前記一端４０ｂをカバー２’の内側に押圧するとカバー２’の外側へ弾性変形して開くように形成されている。
【００９５】
ヒンジ片４０の内側面の先端付近には、第１の係止部としての凸部４１が形成される。
【００９６】
次に、ボディ１の側面１ｂにおいて、ヒンジ片４０に対応する部位の側面１ｂには、内側へ窪んだ側面１ｅが形成され、側面１ｅの外側面には、第２の係止部としての凸部４２が形成されている。
【００９７】
凸部４２は、側面１ｅの前面側から背面側にかけて外側に傾斜する傾斜面４２ａと、傾斜面４２ａの頂部から側面１ｅに垂直に設けられた係止面４２ｂとを有している。
【００９８】
以上のように形成されたボディ１とカバー２’とは、ボディ１の前面にカバー２’を嵌め込んでいくと、ヒンジ片４０の内側に設けられた凸部４１がボディ１の側面１ｅの外側に設けた凸部４２の傾斜面４２ａ押されてヒンジ片４０が外側へと撓んでいき、凸部４１が傾斜面４２ａを通過すると、凸部４１が凸部４２の係止面４２ｂと係合し、また、実施形態１乃至４と同様に、ボディ１の係合突起１３の組立孔１３ａがカバー２’の組立突起と係合して、結合される。
【００９９】
ボディ１とカバー２’との結合を解除するには、カバー２’の側面２ｃ，２ｃ側に露出したヒンジ片４０，４０の一端４０ｂ，４０ｂを、指でカバー２’の内側方向へ押圧（弾性変形操作）する。
【０１００】
すると、前述したように、ヒンジ片４０の他端４０ａがカバー２’の外側へ弾性変形して開き、ヒンジ片４０の凸部４１とボディ１の凸部４２との係合が外れ、その後カバー２’を少し広げるようにして組立孔１３ａと組立突起との係合も解除することで容易にカバーを外すことができる。
【０１０１】
かかる露出形モジュラジャックにおいても、ドライバなどの工具を用いることなくヒンジ片４０を指で弾性変形操作するだけでボディ１とカバー２’との結合が解除され容易にカバーを外すことができる。また、実施形態４と同様に、カバー２’を外す際に、ヒンジ片４０，４０を両側から指で掴んだ状態でカバー２’を外せるため、施工が容易になる。
【０１０２】
【発明の効果】
請求項１記載の露出形モジュラジャックは、背面を施工面に当接させて取り付けられるボディの前面にカバーが結合されてなるハウジングと、ハウジング内に収納されハウジングに設けられたプラグ挿入口を通してモジュラプラグが着脱自在に挿入されるモジュラブロックとを備え、前記ボディと前記カバーとの何れか一方にハウジング外から弾性変形操作可能なヒンジ片を設け、他方に前記ヒンジ片に形成された第１の係止部と係脱自在に係止され前記ボディと前記カバーとを結合する第２の係止部を設けたので、前記ヒンジ片をハウジング外から指で弾性変形操作することで、工具を用いることなくボディとカバーとの結合を解除して容易にカバーを外すことができ、施工性を向上させることができるという効果がある。
【０１０３】
請求項２記載の露出形モジュラジャックは、請求項１記載の発明において、前記ヒンジ片は、前記ボディの側面において一端がボディに支持され他端がボディの背面側に至るまでに延設されて形成され、前記第１の係止部は、前記ヒンジ片の外側の先端付近に形成され、前記第２の係止部は、前記ボディの側面を覆い隠す前記カバーの側面の内側に形成されたので、ボディにカバーが結合された状態でボディの背面から前記ヒンジ片の先端をボディの内側に弾性変形させることでボディとカバーとの結合が解除でき容易にカバーを外すことができる請求項１記載の露出形モジュラジャックを実現できるという効果がある。さらに、前記ヒンジ片を含めてボディの側面がカバーによって覆い隠されているため、外観の凹凸が極力抑えられデザイン性が良く、また、弾性変形操作する前記ヒンジ片の先端が施工面に向き合う側となるので、使用者が容易に前記ヒンジ片を見つけられずいたずら防止にもなる。
【０１０４】
請求項３記載の露出形モジュラジャックは、請求項１記載の発明において、前記ヒンジ片は、前記ボディの側面において一端がボディに支持され他端がボディの背面側に至るまでに延設されて形成され、前記第１の係止部は、前記ヒンジ片の外側の先端付近に形成され、前記第２の係止部は、前記カバーの側面の一部を前記カバーと前記ボディとの当接面よりも背面側に延設して、前記カバーが前記ボディに結合されると前記ヒンジ片の外側面を覆い隠す舌片を形成し、該舌片の内側に形成されたので、請求項２記載の発明と同様に、ボディにカバーが結合された状態でボディの背面から前記ヒンジ片の先端をボディの内側に弾性変形させることでボディとカバーとの結合が解除でき容易にカバーを外すことができる請求項１記載の露出形モジュラジャックを実現できるという効果がある。さらに、前記ヒンジ片の側面が前記カバーの舌片で覆い隠されているためデザイン性がよく、また、弾性変形操作する前記ヒンジ片の先端が施工面に向き合う側となるので、使用者が容易に前記ヒンジ片を見つけられずいたずら防止にもなる。
【０１０５】
請求項４記載の露出形モジュラジャックは、請求項１記載の発明において、前記ヒンジ片は、前記ボディの側面において一端がボディに支持され他端が前記カバーと前記ボディとの当接面よりもカバー側に突出するまで延設されて形成され、前記第１の係止部は、前記ヒンジ片の外側の先端付近に形成され、前記第２の係止部は、前記カバーの側面の内側に形成されたので、ボディにカバーが結合された状態でボディの側面に露出した前記ヒンジ片をボディの内側に弾性変形させることでボディとカバーとの結合が解除でき容易にカバーを外すことができる請求項１記載の露出形モジュラジャックを実現できるという効果がある。また、請求項２又は３記載の発明と比較すると、弾性変形操作するためのヒンジ片の露出部分が大きくなり、操作が容易であるという効果がある。
【０１０６】
請求項５記載の露出形モジュラジャックは、請求項１記載の発明において、前記ヒンジ片は、前記カバーの側面において一端がカバーに支持され他端が前記カバーと前記ボディとの当接面よりもボディ側に突出するまで延設されて形成され、前記第１の係止部は、前記ヒンジ片の外側の先端付近に形成され、前記第２の係止部は、前記ボディの側面の内側に形成されたので、ボディにカバーが結合された状態でカバーの側面に露出した前記ヒンジ片をカバーの内側に弾性変形させることでボディとカバーとの結合が解除でき容易にカバーを外すことができる請求項１記載の露出形モジュラジャックを実現できるという効果がある。また、前記ヒンジ片を掴んでヒンジ片をカバーの内側に弾性変形させた状態でカバーを外せるため、施工が容易になるという効果がある。
【０１０７】
請求項６記載の露出形モジュラジャックは、請求項４又は５記載の発明において、前記ヒンジ片のうち、前記カバーと前記ボディとが結合された時に外部に露出する部位を押釦形状としたので、ヒンジ片の視認性が向上し、誰でも簡単にカバーの取り外しの操作ができるという効果がある。
【０１０８】
請求項７記載の露出形モジュラジャックは、請求項１記載の発明において、前記ヒンジ片は、前記カバーの側面において一端がカバーに支持され他端が前記カバーと前記ボディとの当接面よりもボディ側に突出するまで延設されて形成され、前記第１の係止部は、前記ヒンジ片の内側の先端付近に形成され、前記第２の係止部は、前記ボディの側面の外側に形成されたので、ボディにカバーが結合された状態で前記ヒンジ片の支持された側の前記一端を押圧すると前記他端が外側に開くことでボディとカバーとの結合が解除でき容易にカバーを外すことができる請求項１記載の露出形モジュラジャックを実現できるという効果がある。また、前記ヒンジ片の前記一端を掴んで他端を外側に開いた状態でカバーが外せるため、施工が容易になるという効果がある。
【図面の簡単な説明】
【図１】実施形態１の露出形モジュラジャックの分解斜視図である。
【図２】同上の要部の断面図である。
【図３】実施形態２の露出形モジュラジャックの分解斜視図である。
【図４】実施形態３の露出形モジュラジャックの分解斜視図である。
【図５】同上の要部の断面図である。
【図６】同上の一部を変更した露出形モジュラジャックの分解斜視図である。
【図７】同上の要部の断面図である。
【図８】実施形態４の露出形モジュラジャックの分解斜視図である。
【図９】同上の要部の断面図である。
【図１０】同上の一部を変更した露出形モジュラジャックの分解斜視図である。
【図１１】同上の要部の断面図である。
【図１２】実施形態５の露出形モジュラジャックの分解斜視図である。
【図１３】同上の要部の断面図である。
【図１４】従来例の説明図である。
【符号の説明】
１  ボディ
２  カバー
３  モジュラブロック
４  扉部４
５  マグネット
６  識別子
１０  枠部
１０ａ  プラグ挿入孔
１１  ヒンジ片
１２  凸部（第一の係止部）
１３  係合突起
１４  電線保持片
１５  凸部（第２の係止部）
【図１】
2004234922.tif 000003
【図２】
2004234922.tif 000004
【図３】
2004234922.tif 000005
【図４】
2004234922.tif 000006
【図５】
2004234922.tif 000007
【図６】
2004234922.tif 000008
【図７】
2004234922.tif 000009
【図８】
2004234922.tif 000010
【図９】
2004234922.tif 000011
【図１０】
2004234922.tif 000012
【図１１】
2004234922.tif 000013
【図１２】
2004234922.tif 000014
【図１３】
2004234922.tif 000015
【図１４】
2004234922.tif 000016